【手続補正書】
【提出日】平成20年5月8日(2008.5.8)
【手続補正１】
【補正対象書類名】明細書
【補正対象項目名】特許請求の範囲
【補正方法】変更
【補正の内容】
【特許請求の範囲】
【請求項１】
記録装置と、記録メディアと、再生装置とからなる著作権保護システムであって、
前記記録メディアは、当該記録メディアに固有のメディア固有情報を保持しており、
前記記録装置は、
コンテンツを取得する取得手段と、
前記コンテンツをコンテンツ鍵を用いて暗号化して暗号化コンテンツを生成するコンテンツ暗号化手段と、
前記コンテンツ鍵を暗号化して暗号化コンテンツ鍵を生成する鍵暗号化手段と、
前記暗号化コンテンツを記録すべき記録メディアから前記メディア固有情報を読み出し、少なくとも前記メディア固有情報と前記コンテンツ鍵とを用いて、許諾情報を生成する許諾情報生成手段と、
前記暗号化コンテンツと前記暗号化コンテンツ鍵と前記許諾情報とを前記記録メディアに記録する記録手段とを備え、
前記再生装置は、
前記記録メディアから前記暗号化コンテンツと暗号化コンテンツ鍵と前記許諾情報とを読み出す読出手段と、
前記暗号化コンテンツ鍵を復号化する鍵復号化手段と、
復号化されたコンテンツ鍵を用いて前記暗号化コンテンツを復号化するコンテンツ復号化手段と、
復号化されたコンテンツを再生する再生手段と、
少なくとも前記復号化されたコンテンツ鍵と前記記録メディアが保持するメディア固有情報とを用いて、参照許諾情報を生成する参照許諾情報生成手段と、
前記参照許諾情報と前記許諾情報とが不一致の場合、前記再生手段による前記コンテンツの再生を中止する中止手段と
を備えることを特徴とする著作権保護システム。
【請求項２】
前記著作権保護システムは、複数の記録装置および複数の再生装置を含み、
前記複数の記録再生装置および前記複数の再生装置のうちのいずれか１つ以上は無効化されており、
前記複数の記録装置および前記複数の再生装置のそれぞれは、自身に固有の情報であるデバイス鍵を保持しており、
前記記録メディアは、さらに、前記記録装置または前記再生装置が無効化されていない場合のみ、当該記録装置または当該再生装置が保持するデバイス鍵を用いた復号処理が施されることでメディア鍵が得られる情報であるメディア鍵データを保持し、
前記記録装置は、さらに、
自身が保持するデバイス鍵を用いて、前記メディア鍵データから前記メディア鍵の生成を試みるメディア鍵生成手段を備え、
前記鍵暗号化手段は、前記メディア鍵の生成に成功した場合には前記メディア鍵を用いて前記コンテンツ鍵を暗号化し、前記メディア鍵の生成に失敗した場合には処理を中止し、
前記再生装置は、さらに、
自身が保持するデバイス鍵を用いて、前記メディア鍵データから前記メディア鍵の生成を試みるメディア鍵生成手段を備え、
前記鍵復号化手段は、前記メディア鍵が得られた場合には前記メディア鍵を用いて前記コンテンツ鍵を復号化し、前記メディア鍵が得られなかった場合には処理を中止する
ことを特徴とする請求項１に記載の著作権保護システム。
【請求項３】
自身に固有のメディア固有情報を保持している記録メディアと共に用いられる記録装置であって、
コンテンツを取得する取得手段と、
前記コンテンツをコンテンツ鍵を用いて暗号化して暗号化コンテンツを生成するコンテンツ暗号化手段と、
前記コンテンツ鍵を暗号化して暗号化コンテンツ鍵を生成する鍵暗号化手段と、
前記暗号化コンテンツを記録すべき記録メディアから前記メディア固有情報を読み出し、少なくとも前記メディア固有情報と前記コンテンツ鍵とを用いて、許諾情報を生成する許諾情報生成手段と、
前記暗号化コンテンツと前記暗号化コンテンツ鍵と前記許諾情報とを前記記録メディアに記録する記録手段と
を備えることを特徴とする記録装置。
【請求項４】
前記記録装置には、無効化されているか無効化されていないかのいずれかの状態が割り振られており、
前記記録装置は自身に固有の情報であるデバイス鍵を保持しており、
前記記録メディアは、さらに、
前記記録装置が無効化されていない場合のみ、当該記録装置が保持するデバイス鍵を用いた復号処理が施されることでメディア鍵が得られる情報であるメディア鍵データを保持し、
前記記録装置は、さらに、
自身が保持する前記デバイス鍵を用いて、前記メディア鍵データから前記メディア鍵の生成を試みるメディア鍵生成手段を備え、
前記鍵暗号化手段は、前記メディア鍵の生成に成功した場合には前記メディア鍵を用いて前記コンテンツ鍵を暗号化し、前記メディア鍵の生成に失敗した場合には処理を中止する
ことを特徴とする請求項３に記載の記録装置。
【請求項５】
前記許諾情報生成手段は、前記メディア固有情報と前記コンテンツ鍵と前記メディア鍵とを用いて前記許諾情報を生成する
ことを特徴とする請求項４に記載の記録装置。
【請求項６】
前記記録装置は、さらに、前記暗号化コンテンツを復号化して再生する再生装置と共通のマスター鍵を保持するマスター鍵保持手段を備え、
前記鍵暗号化手段は、前記コンテンツ鍵を前記マスター鍵を用いて暗号化し、
前記許諾情報生成手段は、前記マスター鍵と前記メディア固有情報と前記コンテンツ鍵とを用いて前記許諾情報を生成する
ことを特徴とする請求項３に記載の記録装置。
【請求項７】
自身に固有のメディア固有情報を保持している記録メディアと共に用いられる再生装置であって、
前記記録メディアは、コンテンツ鍵で暗号化されたコンテンツである暗号化コンテンツと、暗号化された前記コンテンツ鍵である暗号化コンテンツ鍵と、許諾情報とを記録しており、
前記再生装置は、
前記記録メディアから前記暗号化コンテンツと暗号化コンテンツ鍵と前記許諾情報とを読み出す読出手段と、
前記暗号化コンテンツ鍵を復号化する鍵復号化手段と、
復号化されたコンテンツ鍵を用いて前記暗号化コンテンツを復号化するコンテンツ復号化手段と、
復号化されたコンテンツを再生する再生手段と、
少なくとも前記復号化されたコンテンツ鍵と前記記録メディアが保持するメディア固有情報とを用いて、参照許諾情報を生成する参照許諾情報生成手段と、
前記参照許諾情報と前記許諾情報とが不一致の場合、前記再生手段による前記コンテンツの再生を中止する中止手段と
を備えることを特徴とする再生装置。
【請求項８】
前記再生装置には、無効化されているか無効化されていないかのいずれかの状態が割り振られており、
前記再生装置は自身に固有の情報であるデバイス鍵を保持しており、
前記記録メディアは、さらに、前記再生装置が無効化されていない場合のみ、当該再生装置が保持するデバイス鍵を用いた復号処理が施されることでメディア鍵が得られる情報であるメディア鍵データを保持し、
前記再生装置は、さらに、
自身が保持する前記デバイス鍵を用いて、前記メディア鍵データから前記メディア鍵の生成を試みるメディア鍵生成手段を備え、
前記鍵復号化手段は、前記メディア鍵の生成に成功した場合には前記メディア鍵を用いて前記コンテンツ鍵を復号化し、前記メディア鍵の生成に失敗した場合には処理を中止する
ことを特徴とする請求項７に記載の再生装置。
【請求項９】
前記記録媒体が記録している前記許諾情報は、前記メディア固有情報と前記コンテンツ鍵と前記メディア鍵とを用いて生成された情報であり、
前記参照許諾情報生成手段は、前記メディア固有情報と前記復号化されたコンテンツ鍵と前記メディア鍵とを用いて前記参照許諾情報を生成する
ことを特徴とする請求項８に記載の再生装置。
【請求項１０】
前記再生装置は、さらに、前記暗号化コンテンツを前記記録メディアに記録した記録装置と共通のマスター鍵を保持するマスター鍵保持手段を備え、
前記鍵復号化手段は、前記コンテンツ鍵を前記マスター鍵を用いて復号化し、
前記許諾情報生成手段は、前記マスター鍵と前記メディア固有情報と前記復号化されたコンテンツ鍵とを用いて前記許諾情報を生成する
ことを特徴とする請求項７に記載の再生装置。
【請求項１１】
自身に固有のメディア固有情報を保持している記録メディアに、暗号化したコンテンツである暗号化コンテンツを記録する記録手段を備えた記録装置で用いられる記録方法であって、
コンテンツを取得する取得ステップと、
前記コンテンツをコンテンツ鍵を用いて暗号化して暗号化コンテンツを生成するコンテンツ暗号化ステップと、
前記コンテンツ鍵を暗号化して暗号化コンテンツ鍵を生成する鍵暗号化ステップと、
前記暗号化コンテンツを記録すべき記録メディアから前記メディア固有情報を読み出し、少なくとも前記メディア固有情報と前記コンテンツ鍵とを用いて、許諾情報を生成する許諾情報生成ステップと、
前記記録手段により、前記暗号化コンテンツと前記暗号化コンテンツ鍵と前記許諾情報とを前記記録メディアに記録する記録ステップと
を含むことを特徴とする記録方法。
【請求項１２】
自身に固有のメディア固有情報を保持している記録メディアに、暗号化したコンテンツである暗号化コンテンツを記録する記録手段を備えた記録装置で用いられる記録プログラムであって、
コンピュータに、
コンテンツを取得する取得ステップと、
前記コンテンツをコンテンツ鍵を用いて暗号化して暗号化コンテンツを生成するコンテンツ暗号化ステップと、
前記コンテンツ鍵を暗号化して暗号化コンテンツ鍵を生成する鍵暗号化ステップと、
前記暗号化コンテンツを記録すべき記録メディアから前記メディア固有情報を読み出し、少なくとも前記メディア固有情報と前記コンテンツ鍵とを用いて、許諾情報を生成する許諾情報生成ステップと、
前記記録手段により、前記暗号化コンテンツと前記暗号化コンテンツ鍵と前記許諾情報とを前記記録メディアに記録する記録ステップと
を実行させるための記録プログラム。
【請求項１３】
自身に固有のメディア固有情報を保持している記録メディアと共に用いられ、コンテンツを再生する再生手段を備えた再生装置で用いられる再生方法であって、
前記記録メディアは、コンテンツ鍵で暗号化されたコンテンツである暗号化コンテンツと、暗号化された前記コンテンツ鍵である暗号化コンテンツ鍵と、許諾情報とを記録しており、
前記再生方法は、
前記記録メディアから前記暗号化コンテンツと暗号化コンテンツ鍵と前記許諾情報とを読み出す読出ステップと、
前記暗号化コンテンツ鍵を復号化する鍵復号化ステップと、
復号化されたコンテンツ鍵を用いて前記暗号化コンテンツを復号化するコンテンツ復号化ステップと、
前記再生手段により、復号化されたコンテンツを再生する再生ステップと、
少なくとも前記復号化されたコンテンツ鍵と前記記録メディアが保持するメディア固有情報とを用いて、参照許諾情報を生成する参照許諾情報生成ステップと、
前記参照許諾情報と前記許諾情報とが不一致の場合、前記再生手段による前記コンテンツの再生を中止する中止ステップと
を含むことを特徴とする再生方法。
【請求項１４】
自身に固有のメディア固有情報を保持している記録メディアと共に用いられ、コンテンツを再生する再生手段を備えた再生装置で用いられる再生プログラムであって、
前記記録メディアは、コンテンツ鍵で暗号化されたコンテンツである暗号化コンテンツと、暗号化された前記コンテンツ鍵である暗号化コンテンツ鍵と、許諾情報とを記録しており、
コンピュータに、
前記記録メディアから前記暗号化コンテンツと暗号化コンテンツ鍵と前記許諾情報とを読み出す読出ステップと、
前記暗号化コンテンツ鍵を復号化する鍵復号化ステップと、
復号化されたコンテンツ鍵を用いて前記暗号化コンテンツを復号化するコンテンツ復号化ステップと、
前記再生手段により、復号化されたコンテンツを再生する再生ステップと、
少なくとも前記復号化されたコンテンツ鍵と前記記録メディアが保持するメディア固有情報とを用いて、参照許諾情報を生成する参照許諾情報生成ステップと、
前記参照許諾情報と前記許諾情報とが不一致の場合、前記再生手段による前記コンテンツの再生を中止する中止ステップと
を実行させるための再生プログラム。